(57)【要約】  本開示のいくつかの態様は、デバイスにおいて受信される送信のフローレートを調整するための方法および装置に関する。ユーザ機器（ＵＥ）が、トリガ条件を検出したことに応答して、ＵＥにおいて基地局（ＢＳ）から受信される送信のフローレートを調整するために、ＢＳに与えられるフィードバックを調整するという提案を決定する。ＵＥは、提案と少なくとも１つの追加の条件とに基づいて、フィードバックを調整し、調整されたフィードバックをＢＳに送信する。
2018522449.tif 000002
【特許請求の範囲】
【請求項１】
ユーザ機器（ＵＥ）によるワイヤレス通信のための方法であって、
トリガ条件を検出したことに応答して、前記ＵＥにおいて基地局（ＢＳ）から受信される送信のフローレートを調整するために、前記ＢＳに与えられるフィードバックを調整するという提案を決定することと、
前記提案と少なくとも１つの追加の条件とに基づいて、前記フィードバックを調整することと、
前記調整されたフィードバックを前記ＢＳに送信することと
を備える、方法。
【請求項２】
前記トリガ条件が、ＵＥプロセッサ使用量、ＵＥメモリ使用量、ＵＥ温度、またはＵＥバス使用量のうちの少なくとも１つに関連する過負荷またはほぼ過負荷に基づく、請求項１に記載の方法。
【請求項３】
前記調整されたフィードバックを送信することが、実際に測定されたチャネル品質インジケータ（ＣＱＩ）よりも低い、少なくとも１つのＣＱＩを送信することを備える、請求項２に記載の方法。
【請求項４】
将来のダウンリンク（ＤＬ）送信の前記フローレートを回復するために、前記ＵＥによって報告されるＣＱＩを実際に測定されたＣＱＩまで徐々に増加させることをさらに備える、請求項３に記載の方法。
【請求項５】
前記フィードバックを調整することが、
前記基地局に前に送信された第１のＣＱＩと、前記第１のＣＱＩを送信した後に前記基地局から受信された前記ＤＬ送信とに基づいて、前記基地局によって使用されたＣＱＩオフセットを決定することと、
前記決定されたＣＱＩオフセットを補償した後に前記基地局に送信されるべき第２のＣＱＩを決定することと
を備え、
ここにおいて、前記調整されたフィードバックを送信することが、前記第２のＣＱＩを前記基地局に送信することを備える、
請求項１に記載の方法。
【請求項６】
前記ＣＱＩオフセットを決定することが、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を備える、請求項５に記載の方法。
【請求項７】
前記第２のＣＱＩを決定することが、前記ＵＥにおいて実際に測定されたＣＱＩから前記決定されたＣＱＩオフセットを減算することによって、前記第２のＣＱＩを決定することを備える、請求項５に記載の方法。
【請求項８】
前記トリガ条件は、前記受信されたＤＬ送信に対応する瞬時スループットが、所望のスループットに基づくしきい値に等しいかまたはそれよりも高いことを備える、請求項１に記載の方法。
【請求項９】
前記提案を決定することが、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定することを備える、請求項１に記載の方法。
【請求項１０】
前記フィードバックを調整することは、
前記少なくとも１つのトランスポートブロックが前記ＵＥにおいて正確に受信されたかどうかを含む前記少なくとも１つの追加の条件と前記提案とに基づいて、前記ＵＥにおいて受信された前記少なくとも１つのトランスポートブロックについての肯定応答（ＡＣＫ）メッセージを生成すること
を備え、
ここにおいて、前記調整されたフィードバックを送信することが、前記生成されたＡＣＫメッセージを送信することを備える、
請求項９に記載の方法。
【請求項１１】
前記ＨＡＲＱフィードバックをＮＡＣＫオーバーライドすることに関する前記提案を決定することが、
ＤＬ送信に対応する瞬時スループットを所望のスループットしきい値と比較することと、
前記比較の結果に基づいて前記提案を決定することと
を備える、請求項９に記載の方法。
【請求項１２】
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、請求項１１に記載の方法。
【請求項１３】
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定ＡＣＫに設定することと
を備える、請求項１０に記載の方法。
【請求項１４】
前記ＡＣＫメッセージがＮＡＣＫに設定されたとき、
前記正確に受信されたトランスポートブロックを上位レイヤにフォワーディングすることと、
前記ＵＥによって送信された前記ＡＣＫメッセージを受信したことに応答して前記基地局によって再送信された後続のトランスポートブロックを受信したことに応答して、肯定ＡＣＫを送信することと
をさらに備える、請求項１３に記載の方法。
【請求項１５】
前記ＵＥによって送信されるＨＡＲＱ  ＮＡＣＫの割合が、前記ＵＥによって報告されるＣＱＩに従う、請求項１０に記載の方法。
【請求項１６】
前記ＡＣＫメッセージを生成することが、前記基地局におけるＣＱＩオフセットを相殺するために、数個の肯定ＡＣＫごとに少なくとも１つのＮＡＣＫを生成することを備える、請求項１０に記載の方法。
【請求項１７】
ユーザ機器（ＵＥ）によるワイヤレス通信のための装置であって、
トリガ条件を検出したことに応答して、前記ＵＥにおいて基地局（ＢＳ）から受信される送信のフローレートを調整するために、前記ＢＳに与えられるフィードバックを調整するという提案を決定するための手段と、
前記提案と少なくとも１つの追加の条件とに基づいて、前記フィードバックを調整するための手段と、
前記調整されたフィードバックを前記ＢＳに送信するための手段と
を備える、装置。
【請求項１８】
前記トリガ条件が、ＵＥプロセッサ使用量、ＵＥメモリ使用量、ＵＥ温度、またはＵＥバス使用量のうちの少なくとも１つに基づく、請求項１７に記載の装置。
【請求項１９】
前記調整されたフィードバックを送信するための前記手段が、実際に測定されたチャネル品質インジケータ（ＣＱＩ）よりも低い、少なくとも１つのＣＱＩを送信するように構成された、請求項１８に記載の方法。
【請求項２０】
前記フィードバックを調整するための前記手段が、
前記基地局に前に送信された第１のＣＱＩと、前記第１のＣＱＩを送信した後に前記基地局から受信された前記ＤＬ送信とに基づいて、前記基地局によって使用されたＣＱＩオフセットを決定することと、
前記決定されたＣＱＩオフセットを補償した後に前記基地局に送信されるべき第２のＣＱＩを決定することと
を行うように構成され、
ここにおいて、前記調整されたフィードバックを送信することが、前記第２のＣＱＩを前記基地局に送信することを備える、
請求項１７に記載の装置。
【請求項２１】
前記ＣＱＩオフセットを決定するための前記手段が、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を行うように構成された、請求項２０に記載の装置。
【請求項２２】
前記提案を決定するための前記手段が、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定するように構成された、請求項１７に記載の装置。
【請求項２３】
前記フィードバックを調整するための前記手段は、
前記少なくとも１つのトランスポートブロックが前記ＵＥにおいて正確に受信されたかどうかを含む前記少なくとも１つの追加の条件と前記提案とに基づいて、前記ＵＥにおいて受信された前記少なくとも１つのトランスポートブロックについての肯定応答（ＡＣＫ）メッセージを生成すること
を行うように構成され、
ここにおいて、前記調整されたフィードバックを送信することが、前記生成されたＡＣＫメッセージを送信することを備える、
請求項２２に記載の装置。
【請求項２４】
前記ＨＡＲＱフィードバックをＮＡＣＫオーバーライドすることに関する前記提案を決定するための前記手段が、
ＤＬ送信に対応する瞬時スループットを所望のスループットしきい値と比較することと、
前記比較の結果に基づいて前記提案を決定することと
を行うように構成された、請求項２２に記載の装置。
【請求項２５】
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、請求項２４に記載の装置。
【請求項２６】
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定応答ＡＣＫに設定することと
を備える、請求項２３に記載の装置。
【請求項２７】
ユーザ機器（ＵＥ）によるワイヤレス通信のための方法であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの決定に基づいて、前記ＢＳに与えられるフィードバックを調整することと、
前記調整されたフィードバックを前記ＢＳに送信することと
を備える、方法。
【請求項２８】
フィードバックを調整することが、ＵＥプロセッサ使用量、ＵＥメモリ使用量、ＵＥ温度、またはＵＥバス使用量のうちの少なくとも１つに基づくトリガ条件に応答して、フィードバックを調整することを含む、請求項２７に記載の方法。
【請求項２９】
フィードバックを調整することが、ハイブリッド自動再送要求（ＨＡＲＱ）履歴にさらに基づいて、フィードバックを調整することを含む、請求項２７に記載の方法。
【請求項３０】
ユーザ機器（ＵＥ）によるワイヤレス通信のための装置であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの決定に基づいて、前記ＢＳに与えられるフィードバックを調整するための手段と、
前記調整されたフィードバックを前記ＢＳに送信するための手段と
を備える、装置。
【発明の詳細な説明】
【技術分野】
【０００１】
米国特許法第１１９条に基づく優先権の主張
[0001]本出願は、両方が本出願の譲受人に譲渡され、参照により本明細書に明確に組み込まれる、２０１５年３月１５日に出願された「METHODS AND APPARATUS FOR ADJUSTING FLOW RATE OF TRANSMISSIONS RECEIVED BY A DEVICE」と題する米国仮出願第６２／１６２，６０５号の優先権を主張する、２０１６年３月２４日に出願された米国特許出願第１５／０８０，２９６号の優先権を主張する。
【背景技術】
【０００２】
[0002]本開示は、一般にワイヤレス通信に関し、より詳細には、デバイスによって受信される送信のフローレートを調整するための方法および装置に関する。
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥ／ＬＴＥアドバンスト（LTE-Advanced）は、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥ／ＬＴＥアドバンストは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のいくつかの態様は、ユーザ機器（ＵＥ）によるワイヤレス通信のための方法を提供する。本方法は、概して、トリガ条件を検出したことに応答して、ＵＥにおいて基地局（ＢＳ）から受信される送信のフローレートを調整するために、ＢＳに与えられるフィードバックを調整するという提案（proposal）を決定することと、提案と少なくとも１つの追加の条件とに基づいて、フィードバックを調整することと、調整されたフィードバックをＢＳに送信することとを含む。
【０００６】
[0006]本開示のいくつかの態様は、ユーザ機器（ＵＥ）によるワイヤレス通信のための装置を提供する。本装置は、概して、トリガ条件を検出したことに応答して、ＵＥにおいて基地局（ＢＳ）から受信される送信のフローレートを調整するために、ＢＳに与えられるフィードバックを調整するという提案を決定するための手段と、提案と少なくとも１つの追加の条件とに基づいて、フィードバックを調整するための手段と、調整されたフィードバックをＢＳに送信するための手段とを含む。
【０００７】
[0007]本開示のいくつかの態様は、ユーザ機器（ＵＥ）によるワイヤレス通信のための方法を提供する。本方法は、概して、ＵＥにおいて基地局（ＢＳ）から受信される送信のフローレートを調整するために、所望のスループットと比較される、受信されたダウンリンク（ＤＬ）送信に対応する瞬時（instantaneous）スループットの比較に基づいて、および基地局によって適用されたチャネル品質インジケータ（ＣＱＩ）オフセットの決定に基づいて、ＢＳに与えられるフィードバックを調整することと、調整されたフィードバックをＢＳに送信することとを含む。
【０００８】
[0008]本開示のいくつかの態様は、ユーザ機器（ＵＥ）によるワイヤレス通信のための装置を提供する。本装置は、概して、ＵＥにおいて基地局（ＢＳ）から受信される送信のフローレートを調整するために、所望のスループットと比較される、受信されたダウンリンク（ＤＬ）送信に対応する瞬時スループットの比較に基づいて、および基地局によって適用されたチャネル品質インジケータ（ＣＱＩ）オフセットの決定に基づいて、ＢＳに与えられるフィードバックを調整するための手段と、調整されたフィードバックをＢＳに送信するための手段とを含む。
【０００９】
[0009]態様は、概して、添付の図面を参照しながら本明細書で実質的に説明され、添付の図面によって示されるように、方法、装置、システム、コンピュータプログラム製品、および処理システムを含む。「ＬＴＥ」は、概して、ＬＴＥ、ＬＴＥアドバンスト（ＬＴＥ−Ａ）、無認可スペクトル中のＬＴＥ（ＬＴＥホワイトスペース）などを指す。
【図面の簡単な説明】
【００１０】
【図１】[0010]本開示のいくつかの態様による、ネットワークアーキテクチャの一例を示す図。
【図２】[0011]本開示のいくつかの態様による、アクセスネットワークの一例を示す図。
【図３】[0012]本開示のいくつかの態様による、ＬＴＥにおけるＤＬフレーム構造の一例を示す図。
【図４】[0013]本開示のいくつかの態様による、ＬＴＥにおけるＵＬフレーム構造の一例を示す図。
【図５】[0014]本開示のいくつかの態様による、ユーザプレーンおよび制御プレーンのための無線プロトコルアーキテクチャの一例を示す図。
【図６】[0015]本開示のいくつかの態様による、アクセスネットワーク中の発展型ノードＢおよびユーザ機器の一例を示す図。
【図７】[0016]本開示のいくつかの態様による、ｅＮＢにおける例示的なアウターループリンク適応（ＯＬＬＡ：Outer Loop Link Adaption）を示す図。
【図８】[0017]本開示のいくつかの態様による、ＵＥスループット制御へのｅＮＢ割振りＣＱＩオフセット（eNB-allocated CQI offset）の影響を示す例示的なプロットを示す図。
【図９】[0018]本開示のいくつかの態様による、ＵＥにおいて受信される送信のフローレートを調整するための、たとえば、ＵＥによって実行される例示的な動作を示す図。
【図１０】[0019]本開示のいくつかの態様による、ＵＥにおけるＨＡＲＱフィードバックをオーバーライドすること（overriding of HARQ feedback）に関する提案の生成のための３つの判定領域（three decision regions）を示す図。
【図１１ａ】[0020]本開示のいくつかの態様による、ＵＥにおいて受信されたトランスポートブロックについての（for）肯定応答（ＡＣＫ）メッセージの生成を示す図。
【図１１ｂ】本開示のいくつかの態様による、ＵＥにおいて受信されたトランスポートブロックについての肯定応答（ＡＣＫ）メッセージの生成を示す図。
【図１１ｃ】本開示のいくつかの態様による、ＵＥにおいて受信されたトランスポートブロックについての肯定応答（ＡＣＫ）メッセージの生成を示す図。
【図１２】[0021]本開示のいくつかの態様による、ＵＥにおいて受信される送信のフローレートを調整するための、たとえば、ＵＥによって実行される例示的な動作を示す図。
【発明を実施するための形態】
【００１１】
[0022]移動局（たとえば、ＵＥ）は、概して、ＵＥメモリ過負荷（overload）、バス過負荷、プロセッサ過負荷、または過熱を含む、ＵＥにおける内部状態および／または過負荷状態を管理するために、ＵＥにおいて基地局（たとえば、ｅＮＢ）から受信されたダウンリンク送信に対応するスループット制御をトリガし得る。概して、ＵＥは、基地局に、劣化した（degraded）チャネル状態の指示を受信したことに応答してダウンリンクフローレートを低減させるために、実際に測定されたよりも低い（lower than）チャネル品質インジケータ（ＣＱＩ）を基地局に示すことによって、劣化したチャネルをシミュレートし得る。しかしながら、低減されたフローレートは、ダウンリンクチャネルのエラーレートを低減し、その結果、より多くのトランスポートブロック（ＴＢ）がＵＥにおいて正確に（correctly）受信され、否定応答メッセージ（ＮＡＣＫ）とは反対に、より多くの肯定応答（ＡＣＫ）メッセージがＵＥによって送信され得る。これは、基地局が、報告されたＣＱＩをより高い値に調整することによって、ダウンリンクフローレートを増加させ、したがって、ＵＥによって報告されたより低いＣＱＩを無効にすること（neutralizing）を引き起こし得る。
【００１２】
[0023]本開示のいくつかの態様は、ＵＥにおける所望のダウンリンクスループットを達成するために、ＵＥがダウンリンクフローレートを効果的に調整し得る（by which）技法について説明する。いくつかの態様では、ＵＥは、ＵＥプロセッサ使用量、ＵＥメモリ使用量、ＵＥ温度、またはＵＥバス使用量のうちの少なくとも１つに基づくトリガ条件に応答して、基地局に与えられるフィードバックを調整するという提案を生成し得る。ＵＥは、基地局への送信の前に、提案と、トランスポートブロックが正確に受信されたかどうかを含む少なくとも１つの追加の条件とに基づいて、フィードバックを調整し得る。本開示の態様で説明されるように、フィードバックを調整することは、ＵＥにおいて受信された１つまたは複数のトランスポートブロックのＨＡＲＱフィードバックをＮＡＣＫオーバーライドすること、実際に測定されたＣＱＩよりも低いＣＱＩを送信すること、またはそれらの組合せを含み得る。一態様では、ＵＥは、ＴＢが正確に受信された場合および提案がＮＡＣＫオーバーライドすることを示す場合に、ＴＢのＨＡＲＱフィードバックをＮＡＣＫオーバーライドし得る。一態様では、ＵＥは、報告されたＣＱＩを調整するために基地局によって適用されたＣＱＩオフセットが無効にされるように、フィードバックを調整し得る。
【００１３】
[0024]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。場合によっては、そのような概念を不明瞭にしないように、よく知られている構造および構成要素がブロック図の形で示される。
【００１４】
[0025]次に、様々な装置および方法に関して電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００１５】
[0026]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア／ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００１６】
[0027]したがって、１つまたは複数の例示的な実施形態では、説明される機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００１７】
[0028]図１は、本開示の態様が実施され得る、発展型パケットシステム（ＥＰＳ）１００のＬＴＥネットワークアーキテクチャなど、例示的なネットワークアーキテクチャを示す図である。いくつかの態様では、ＵＥ１０２が、トリガ条件に応答して、基地局（たとえば、ｅＮＢ１０６）に与えられるフィードバックを調整するという提案を生成し得る。上述のように、トリガ条件は、ＵＥプロセッサ使用量、ＵＥメモリ使用量、ＵＥ温度、またはＵＥバス使用量のうちの１つまたは複数に基づき得る。ＵＥ１０２は、ｅＮＢ１０６への送信の前に、提案と少なくとも１つの追加の条件とに基づいて、フィードバックを調整し得る。一態様では、ＵＥ１０２は、ＵＥ１０２において受信された１つまたは複数のトランスポートブロックのＨＡＲＱフィードバックをＮＡＣＫオーバーライドすること、実際に測定されたＣＱＩよりも低いＣＱＩを送信すること、またはそれらの組合せによって、フィードバックを調整し得る。一態様では、ＵＥ１０２は、ＴＢがＵＥ１０２において正確に受信された場合および生成された提案がＮＡＣＫオーバーライドすることを示す場合に、ＴＢのＨＡＲＱフィードバックをＮＡＣＫオーバーライドし得る。ＵＥ１０２によって送られたＨＡＲＱフィードバックに基づいて、ｅＮＢ１０６は、ＵＥ１０２への後続の送信のために使用されるべきシフトされたＣＱＩを生成するために、ＵＥによって報告されたＣＱＩにＣＱＩオフセットを適用し得る。一態様では、ＵＥ１０２は、ｅＮＢ１０６によって適用されたＣＱＩオフセットが相殺される（counteracted）および／または無効にされるように、ｅＮＢ１０６へのＨＡＲＱフィードバックを調整し（adjust）得る。
【００１８】
[0029]ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示されていない。例示的な他のアクセスネットワークは、ＩＰマルチメディアサブシステム（ＩＭＳ：IP Multimedia Subsystem）ＰＤＮ、インターネットＰＤＮ、管理ＰＤＮ（たとえば、プロビジョニングＰＤＮ）、キャリア固有のＰＤＮ、事業者固有のＰＤＮ、および／またはＧＰＳ  ＰＤＮを含み得る。図示のように、ＥＰＳはパケット交換サービスを提供するが、当業者が容易に諒解するように、本開示全体にわたって提示される様々な概念は、回線交換サービスを提供するネットワークに拡張され得る。
【００１９】
[0030]たとえば、Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、基地トランシーバ局、無線基地局、無線トランシーバ、トランシーバ機能、基本サービスセット（ＢＳＳ：basic service set）、拡張サービスセット（ＥＳＳ：extended service set）、アクセスポイント、または何らかの他の好適な用語で呼ばれることもある。ｅＮＢ１０６は、ＵＥ１０２にＥＰＣ１１０へのアクセスポイントを与え得る。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、ネットブック、スマートブック、ウルトラブック、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
[0031]ｅＮＢ１０６はＳ１インターフェースによってＥＰＣ１１０に接続される。ＥＰＣ１１０は、たとえば、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、たとえば、インターネット、イントラネット、ＩＰマルチメディアサブシステム（ＩＭＳ）、およびＰＳ（パケット交換）ストリーミングサービス（ＰＳＳ：PS Streaming Service）を含み得る。このようにして、ＵＥ１０２は、ＬＴＥネットワークを通してＰＤＮに結合され得る。
【００２１】
[0032]図２は、本開示の態様が実施され得る、ＬＴＥネットワークアーキテクチャにおけるアクセスネットワーク２００の一例を示す図である。いくつかの態様では、ＵＥ２０６が、トリガ条件に応答して、基地局（たとえば、ｅＮＢ２０４）に与えられるフィードバックを調整するという提案を生成し得る。ＵＥ２０６は、ｅＮＢ２０４への送信の前に、提案と少なくとも１つの追加の条件とに基づいて、フィードバックを調整し得る。一態様では、ＵＥ２０６は、ＵＥ２０６において受信された１つまたは複数のトランスポートブロックのＨＡＲＱフィードバックをＮＡＣＫオーバーライドすること、実際に測定されたＣＱＩよりも低いＣＱＩを送信すること、またはそれらの組合せによって、フィードバックを調整し得る。
【００２２】
[0033]この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８はリモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ネットワーク２００はまた、１つまたは複数のリレー（図示せず）を含み得る。一適用例によれば、ＵＥはリレーとして働き得る。
【００２３】
[0034]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがダウンリンク（ＤＬ）上で使用され、ＳＣ−ＦＤＭＡがＵＬ上で使用される。当業者が以下の詳細な説明から容易に諒解するように、本明細書で提示される様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００２４】
[0035]ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間領域を活用することを可能にする。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これは、（１つまたは複数の）ＵＥ２０６の各々が、そのＵＥ２０６に宛てられた１つまたは複数のデータストリームを復元することを可能にする。ＵＬ上で、各ＵＥ２０６は、空間的にプリコーディングされたデータストリームを送信し、これは、ｅＮＢ２０４が、各空間的にプリコーディングされたデータストリームのソースを識別することを可能にする。
【００２５】
[0036]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２６】
[0037]以下の詳細な説明では、ＤＬ上でＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２７】
[0038]図３は、本開示のいくつかの態様による、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７つの連続するＯＦＤＭシンボルを含んでおり、すなわち８４個のリソース要素を含んでいる。拡張サイクリックプレフィックスについて、リソースブロックは、時間領域中に６つの連続するＯＦＤＭシンボルを含んでおり、７２個のリソース要素を有する。Ｒ３０２、Ｒ３０４として示されているリソース要素のうちのいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２８】
[0039]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ：cyclic prefix）をもつ各無線フレームのサブフレーム０および５の各々中のシンボル期間６および５において送られ得る。同期信号は、セル検出および収集のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨは、あるシステム情報を搬送し得る。
【００２９】
[0040]ｅＮＢは、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を伝達し得、ただし、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りについての情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００３０】
[0041]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００３１】
[0042]各シンボル期間において、いくつかのリソース要素が利用可能であり得る。各リソース要素（ＲＥ：resource element）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に配置され得る。各ＲＥＧは１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。本方法および装置の態様では、サブフレームは、２つ以上のＰＤＣＣＨを含み得る。
【００３２】
[0043]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００３３】
[0044]図４は、本開示のいくつかの態様による、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００３４】
[0045]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数にわたってホッピングし得る。
【００３５】
[0046]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００３６】
[0047]図５は、本開示のいくつかの態様による、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００３７】
[0048]ユーザプレーンでは、Ｌ２レイヤ５０８は、ネットワーク側のｅＮＢにおいて終端される、メディアアクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３８】
[0049]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまた、ＨＡＲＱ動作を担当する。
【００３９】
[0050]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４０】
[0051]図６は、本開示の態様が実施され（practiced）得る、アクセスネットワーク中でＵＥ６５０と通信しているｅＮＢ６１０のブロック図である。いくつかの態様では、ＵＥ６５０は、トリガ条件に応答して、ｅＮＢ６１０に与えられるフィードバックを調整するという提案を生成し得る。上述のように、トリガ条件は、ＵＥプロセッサ使用量（たとえば、コントローラ／プロセッサ６５９およびＲＸプロセッサ６５６のうちの１つまたは複数）、ＵＥメモリ使用量（たとえば、メモリ６６０）、ＵＥ温度、またはＵＥバス使用量のうちの１つまたは複数に基づき得る。ＵＥ６５０は、ｅＮＢ６１０への送信の前に、提案と少なくとも１つの追加の条件とに基づいて、フィードバックを調整し得る。一態様では、ＵＥ６５０は、ＵＥ６５０において受信された１つまたは複数のトランスポートブロックに関連するＮＡＣＫオーバーライドＨＡＲＱフィードバックを有すること、実際に測定されたＣＱＩよりも低いＣＱＩを送信すること、またはそれらの組合せによって、フィードバックを調整し得る。一態様では、ＵＥ６５０は、ＴＢがＵＥ６５０において正確に受信された場合および生成された提案がＮＡＣＫオーバーライドすることを示す場合に、ＴＢのＨＡＲＱフィードバックをＮＡＣＫオーバーライドし得る。
【００４１】
[0052]ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４２】
[0053]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の（separate）送信機ＴＸ６１８ａ〜ｎを介して異なるアンテナ６２０ａ〜ｎに与えられる。各送信機ＴＸ６１８は、送信のためにそれぞれの空間ストリームでＲＦキャリアを変調する。
【００４３】
[0054]ＵＥ６５０において、トランシーバＴＸ／ＲＸ６５４ａ〜ｍの各受信機ＲＸは、それのそれぞれのアンテナ６５２ａ〜ｍを通して（through）信号を受信する。トランシーバＴＸ／ＲＸ６５４の各受信機ＲＸは、ＲＦキャリア上に変調された情報を復元し（recovers）、その情報を受信機（ＲＸ）プロセッサ６５６に与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００４４】
[0055]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間の多重分離と、パケットリアセンブリと、解読（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）メッセージおよび／または否定応答（ＮＡＣＫ）プロトコルを使用する誤り検出を担当する。
【００４５】
[0056]ＵＬでは、データソース６６７が、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４６】
[0057]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、トランシーバＴＸ／ＲＸ６５４ａ〜ｍの別個の送信機ＴＸを介して異なるアンテナ６５２に与えられる。トランシーバＴＸ／ＲＸ６５４の各送信機ＴＸは、送信のためにそれぞれの（respective）空間ストリームでＲＦキャリアを変調する。
【００４７】
[0058]ＵＬ送信は、ＵＥ６５０における受信機機能に関して説明された様式と同様の様式でｅＮＢ６１０において処理される。トランシーバＴＸ／ＲＸ６１８の各受信機ＲＸは、それのそれぞれのアンテナ６２０を通して信号を受信する。トランシーバＴＸ／ＲＸ６１８の各受信機ＲＸは、ＲＦキャリア上に変調された情報を復元し、その情報をＲＸプロセッサ６７０に与える。ＲＸプロセッサ６７０はＬ１レイヤを実装し得る。
【００４８】
[0059]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするために肯定ＡＣＫメッセージおよび／またはＮＡＣＫプロトコルを使用する誤り検出を担当する。コントローラ／プロセッサ６７５、６５９は、それぞれｅＮＢ６１０およびＵＥ６５０における動作を指示し得る。
【００４９】
[0060]ＵＥ６５０におけるコントローラ／プロセッサ６５９および／あるいは他のプロセッサ、モジュールまたは構成要素は、動作、たとえば、それぞれ図９および図１２の動作９００および動作１２００、ならびに／または本明細書で説明される技法のための他のプロセスを実行または指示し得る。たとえば、コントローラ／プロセッサ６５９は、トリガ条件を検出したことに応答して、ｅＮＢ６１０へのフィードバックを調整するという提案を決定し、提案と少なくとも１つの追加条件とに基づいて、フィードバックを調整するように構成され得る。そのような態様では、コントローラ／プロセッサ６５９およびＴＸプロセッサ６６８は、トランシーバＴＸ／ＲＸ６５４の送信機ＴＸに、ｅＮＢ６１０への調整されたフィードバックを送信させるように構成され得る。いくつかの態様では、例示的な動作９００および１２００ならびに／または本明細書で説明される技法のための他のプロセスを実行するために、図６に示されている構成要素のいずれかのうちの１つまたは複数が採用され得る。メモリ６６０および６７６は、それぞれ、ＵＥ６５０およびｅＮＢ６１０の１つまたは複数の他の構成要素によってアクセス可能なおよび実行可能な、ＵＥ６５０およびｅＮＢ６１０のためのデータおよびプログラムコードを記憶し得る。
デバイスにおいて受信される送信のフローレートを調整するための例示的な技法
[0061]移動局（たとえば、ＵＥ）は、ＵＥにおける内部状態および／または過負荷状態を管理するために、ＵＥにおいて受信されたダウンリンク（ＤＬ）送信に対応するスループット制御をトリガし得る。たとえば、そのようなトリガは、処理リソースの利用可能性（availability）に基づき得る。
【００５０】
[0062]たとえば、ＵＥ（たとえば、モバイルフォン）上のカメラがアクティブであるとき、（たとえば、カメラからＵＥプロセッサへの送信の高データレートにより）ＵＥバス帯域幅が高度に（highly）占有され、バスは、ＵＥにおいて受信されたダウンリンクデータ（たとえば、ＵＥモデムからＵＥプロセッサへのＬＴＥデータ）に対応する高いデータスループットをコンカレントにまたは同時に（concurrently or simultaneously）サポートすることが可能でないことがある。そのような場合、ＵＥにおいて受信されたダウンリンクデータレートに対応するスループットは、ＵＥが無中断（uninterrupted）カメラ動作を続けることが可能であるために、低減されなければならないことがある。ＵＥにおけるスループット制御をトリガし得る他の過負荷状態は、限定はしないが、中央処理ユニット（ＣＰＵ）過負荷、メモリ過負荷、および１つまたは複数のＵＥ構成要素の過熱を含み得る。
【００５１】
[0063]概して、ＵＥは、ＵＥから悪い（bad）チャネル状態の指示（indication）を受信したことに応答して基地局が概して行う（does）ように（as）、基地局（たとえば、ｅＮＢ）にＵＥへのＤＬ送信レートを低下させるために、劣化したチャネルをシミュレートし得る。ＵＥは、ＵＥにおいて実際に測定されたチャネル品質インジケータ（ＣＱＩ）よりも低いＣＱＩをｅＮＢに送信することによって、劣化したチャネルをシミュレートし得る。ｅＮＢは、概して、受信されたＣＱＩに基づいて、トランスポートブロックサイズおよび／または変調およびコーディング方式（ＭＣＳ）を導出する。たとえば、ＬＴＥ／−Ａ規格では、１に等しいＣＱＩインデックスは、４位相シフトキーイング（ＱＰＳＫ）および７８×１０２４のコードレートに対応し得、７に等しいＣＱＩインデックスは、１６ＱＡＭ（直交振幅変調）および３７８ｘ１０２４のコードレートに対応し得る。したがって、ＵＥによって報告されたより低いＣＱＩは、ＵＥへのＤＬ送信のためにｅＮＢにおいて選択されるより低いＭＣＳ（lower MCS selected）につながり得る。
【００５２】
[0064]ＣＱＩベースのＤＬフロー制御の１つの問題は、いくつかの事業者（some operators）も、ダウンリンク上で測定された損失レートに基づいてダウンリンクレートを調整することである。フロー制御のためにＵＥによってＣＱＩを低下させることは、ＨＡＲＱチャネル上の低減された損失レートを生じ得る。それに応答して、ｅＮＢは、受信されたＣＱＩにオフセットを加算することによって、ＵＥから受信されたＣＱＩを調整し得る。これは、基地局におけるアウターループリンク適応（ＯＬＬＡ）と呼ばれる。このオフセットは、事実上（in effect）、ＵＥによる試みられたフロー制御を打ち消し、ＤＬレートを再び増加させ得る。
【００５３】
[0065]図７は、本開示のいくつかの態様による、ｅＮＢ（たとえば、図６に示されているｅＮＢ６１０）における例示的なアウターループリンク適応（ＯＬＬＡ）７００を示す。
【００５４】
[0066]７０２において、ｅＮＢ６１０は、ＵＥ６５０から見たダウンリンクチャネルの品質を示す、ＵＥ（たとえば、図６のＵＥ６５０）によって測定および報告されたベースＣＱＩを受信する。ｅＮＢ６１０は、概して、ＵＥ６５０を、あらかじめ定義された時刻（predefined time instants）においてＵＥ６５０測定ＣＱＩを報告するように構成する。７０４において、ｅＮＢ６１０は、ＵＥ６５０に送信されたＤＬデータに対応するＨＡＲＱフィードバックを受信し得る。７０６において、ＯＬＬＡの一部として、ｅＮＢ６１０は、たとえば、ＵＥ６５０からのＨＡＲＱフィードバックに基づいて、および随意に、受信されたベースＣＱＩに基づいて、ＣＱＩオフセットを生成し得る。
【００５５】
[0067]ＣＱＩオフセットは、概して、ＨＡＲＱフィードバックが、ＨＡＲＱフィードバックが対応する（to which）データがＵＥ６５０において正確に受信されたことを示す肯定ＡＣＫメッセージである場合、正値（positive value）である。一方、ＣＱＩオフセットは、概して、ＨＡＲＱフィードバックが、データがＵＥにおいて正確に受信されなかったことを示すＮＡＣＫ（否定応答メッセージ）である場合、負値である。
【００５６】
[0068]７０８において、ｅＮＢ６１０は、シフトされたＣＱＩ値を決定するために、受信されたベースＣＱＩ値（base CQI value）と内部で生成されたＣＱＩオフセット値（internally generated CQI offset value）とを加算する。たとえば、受信されたＣＱＩ値がＱであり、ｅＮＢ６１０が肯定ＨＡＲＱ  ＡＣＫメッセージを受信した場合、シフトされたＣＱＩ値は、Ｑ＋ＣＱＩオフセットになるだろう（will）。一方、ｅＮＢ６１０がＨＡＲＱ  ＮＡＣＫを受信した場合、シフトされたＣＱＩ値は、Ｑ−ＣＱＩオフセットになるだろう（will）。７１０において、ｅＮＢ６１０は、シフトされたＣＱＩ値に基づいてＭＣＳを選択し、これは（which）、次いで、ＵＥ６５０にデータを送信する際に使用するために、ｅＮＢ６１０における送信処理回路にフォワーディングされ得る。
【００５７】
[0069]上記の説明から諒解され得るように、肯定ＨＡＲＱ  ＡＣＫメッセージは、受信されたＣＱＩ値よりも高いシフトされたＣＱＩ値を生じ、その結果、より高いＭＣＳが選択され得、これは（which）、ＵＥ６５０へのより高いＤＬフローレートおよび対応するスループットを生じ得る。一方、ＨＡＲＱ  ＮＡＣＫは、ｅＮＢ６１０における受信されたＣＱＩ値よりも低いシフトされたＣＱＩ値を生じ、その結果、より低いＭＣＳが選択され得、これは、ＵＥ６５０へのより低いＤＬフローレートおよび対応するスループットをもたらす。
【００５８】
[0070]図８は、本開示のいくつかの態様による、ＵＥスループット制御へのｅＮＢ割振りＣＱＩオフセットの影響を示す例示的なプロット８００を示す。
【００５９】
[0071]（部分（portions）８０２ａおよび８０２ｂを含む）曲線８０２は、ＵＥ６５０によって報告されたＣＱＩに基づき、（部分８０４ａおよび８０４ｂを含む）曲線８０４は、ｅＮＢ生成ＣＱＩオフセットに基づいてｅＮＢ６１０によって割り振られたＣＱＩ（たとえば、シフトされたＣＱＩ）に基づく。図８に示されているように、ＵＥ６５０におけるスループット限界がないとき、ＵＥ６５０は、実際に測定されたＣＱＩ８０２ａをｅＮＢに報告する。しかしながら、ｅＮＢ６１０におけるＭＣＳ選択のための割り振られたＣＱＩ値８０４ａは、ｅＮＢ６１０がＵＥから肯定ＨＡＲＱ  ＡＣＫメッセージを受信した場合、報告されたＣＱＩ値８０２ａよりも高いことがあり、たとえば、これは、ＵＥ６５０へのより高いスループットを生じ得る。
【００６０】
[0072]ＵＥ６５０が（たとえば、ＵＥ６５０における過負荷状態により）スループット制御を用いて（exercising）おり、ＵＥ６５０におけるスループットに対する限界がある場合では、ＵＥ６５０は、図８に示されているように、ｅＮＢ６１０がＵＥ６５０における所望のスループットに対応するＤＬフローレートを低減することを予想して（expecting）、実際に測定されたＣＱＩ値よりも低いＣＱＩ値８０２ｂを報告することによって、ｅＮＢ６１０に劣化したチャネルを示し得る。そのようなスループット制御を開始することは、ＵＥへのＤＬスループットを低減することを生じ得る。しかしながら、そのような低減は、上記で説明されたように、より低いＣＱＩがより低いエラーレートを生じ、したがって、より多くの肯定ＨＡＲＱ  ＡＣＫメッセージがｅＮＢ６１０において受信され得るので、一時的であり得る。これは、ｅＮＢ６１０が、報告されたＣＱＩ８０２ｂよりも高いＣＱＩ値８０４ｂを割り振ることにつながり得、これは、ＤＬフローレートを再び増加させ、したがって、ＵＥ６５０によって試みられたスループット制御を打ち消し得る。
【００６１】
[0073]本開示のいくつかの態様は、ＵＥにおける所望のＤＬスループットを達成するために、ＵＥ６５０が、ＤＬフローレートを調整するために、ＵＥ６５０において受信されたＤＬデータのＨＡＲＱフィードバックをオーバーライドし得る技法について説明する。いくつかの態様では、ＨＡＲＱフィードバックをオーバーライドするためのこれらの技法は、ＤＬフローレートを制御するために、単独で（independently）、またはＵＥ６５０によって報告されたＣＱＩを調整することによって劣化したチャネルを報告するための技法と組み合わせて、使用され得る。
【００６２】
[0074]図９は、本開示のいくつかの態様による、ＵＥにおいて受信される送信のフローレートを調整するための、たとえば、ＵＥ（たとえば、ＵＥ６５０）によって実行される例示的な動作９００を示す。
【００６３】
[0075]動作９００は、９０２において、トリガ条件を検出したことに応答して、ＵＥ６５０において基地局（たとえば、ＢＳ６１０）から受信される送信のフローレートを調整するために、ＢＳ６１０に与えられるフィードバックを調整するという提案を決定することによって開始する。９０４において、ＵＥ６５０は、提案と少なくとも１つの追加の条件とに基づいて、フィードバックを調整し得る。一態様では、追加の条件は、少なくとも１つのトランスポートブロックがＵＥ６５０において正確に受信されたか否かを含み得る。９０６において、ＵＥ６５０は、調整されたフィードバックをＢＳ６１０に送信し得る。
【００６４】
[0076]いくつかの態様では、本開示の態様で説明されるように、ＵＥ６５０によって送信されるべきフィードバックを調整することによるスループット制御のための技法は、１つまたは複数のトリガ条件に基づいて適用され得る。一態様では、ＵＥ６５０は、ＵＥ６５０における瞬時測定されたスループットが、所望のスループットしきい値に等しいかまたはそれを超えたときに、スループット制御を適用する。一態様では、スループットしきい値は、（たとえば、ネットワークによって）ＵＥ６５０に明示的に示されるか、または、たとえば、ＵＥ動作履歴（history）、ＨＡＲＱフィードバック履歴などに基づいて、ＵＥ６５０において局所的に（locally）生成される。
【００６５】
[0077]さらに、または別々に、ＵＥ６５０は、スループット制御をトリガするために１つまたは複数の過負荷状態を使用し得る。たとえば、過負荷状態は、限定はしないが、プロセッサ使用量、メモリ使用量、ＵＥ温度、および／またはバス使用量に関連し得る。一態様では、ＵＥ６５０は、これらのパラメータの各々についてのしきい値を維持し、パラメータのうちの１つまたは複数がそれらの対応するしきい値に等しいかまたはそれらの対応するしきい値を超えたときに、スループット制御をトリガする。
【００６６】
[0078]代替態様では、ＵＥ６５０はまた、上記の過負荷状態のうちの１つまたは複数が発生することになる（たとえば、発生が切迫している（imminent））こと、たとえば、プロセッサほぼ過負荷（near-overload）、メモリほぼ過負荷、ほぼ過熱（near-overheating）、またはバスほぼ過負荷のうちの少なくとも１つをＵＥ６５０が検知した（senses）ときに、スループット制御をトリガし得る。一態様では、ＵＥ６５０は、上記で説明された過負荷パラメータしきい値の各々についてのデルタ値を維持し、パラメータのうちの１つまたは複数がそれらのそれぞれのしきい値−デルタ（thresholds minus delta）に達したときに、スループット制御をトリガする。たとえば、ＵＥは、ＵＥ温度がスループット制御トリガ温度を数度下回る（few degrees below）ときに、スループット制御をトリガする。いくつかの態様では、ＵＥ検知は、決定論的（deterministic）および／または発見的（heuristic）であり得る。たとえば、ＵＥ検知はＵＥ動作履歴に基づき得る。
【００６７】
[0079]一態様では、ＵＥ６５０は、ＵＥ６５０上で動作するアプリケーションに対応するリソース使用量を監視し（たとえば、継続的に監視し）、アプリケーションのうちのどれが、実行している間スループット制御を必要とするかに関する情報をメモリ６６０に記憶する。たとえば、ＵＥ６５０は、ＵＥ６５０において動作するカメラアプリケーションが、概して、大量の（heavy）リソース使用を含むと決定し得る。
【００６８】
[0080]したがって、カメラアプリケーションがＵＥ６５０においてローンチされたとき、ＵＥ６５０は、カメラアプリケーションが大量の（high volume）リソース（たとえば、バスおよびプロセッサリソース）を使用し、またＵＥ温度を上げ得ると知っているので、ＵＥ６５０は、将来の（future）リソース過負荷状況に備えて（in preparation of）、本明細書で説明されるスループット制御のための技法を実装することを開始し得る。このようにして、ＵＥ６５０は、カメラアプリケーションが所望の性能または名目上の（nominal）性能に必要な程度まで（to the extent）ＵＥリソースを使用することを可能にするために、アプリケーションがそれの全リソース使用レベルに達する時間までに、ＵＥ６５０において受信されるＤＬデータレートが、ＵＥリソース上の負荷を和らげる（ease）ためにすでに低減されていることを保証し（ensure）得る。
【００６９】
[0081]一態様では、ＵＥ６５０は、特定の（particular）ユーザのリソース使用履歴を監視（たとえば、継続的に監視）および記憶し、ユーザの使用履歴に基づいてスループット制御のための技法を実装する。たとえば、ユーザが１日の間の特定の時間ウィンドウ中にビデオを常に（consistently）見る場合、ＵＥ６５０は、高いリソース使用量に対してＵＥ６５０を準備するために、この時間ウィンドウの開始時にスループット制御をプロアクティブに（proactively）実装し得る。
【００７０】
[0082]したがって、ＵＥ６５０は、（たとえば、ＵＥプロセッサ使用量、ＵＥメモリ使用量、ＵＥ温度、またはＵＥバス使用量のうちの少なくとも１つを含む、ＵＥ６５０におけるリソース使用量に関係する）１つまたは複数のパラメータを監視し、たとえば、事前構成された値を上回る、１つまたは複数のパラメータの過負荷またはほぼ過負荷を検出したことに応答して、本明細書で説明されるスループット制御のための１つまたは複数の技法をトリガし得る。
【００７１】
[0083]いくつかの態様では、ＵＥ６５０は、ＵＥ報告ＣＱＩ値とｅＮＢ許可ＭＣＳインデックス値に関連する値との間の観測された差に基づいて、スループット制御を適用し得る。たとえば、受信されたデータに対応するＭＣＳインデックス値が、報告されたＣＱＩにマッピングするＭＣＳインデックスよりも高いことをＵＥ６５０が検出した場合、ＵＥ６５０は、本明細書で説明されるスループット制御のための１つまたは複数の技法を実装し得る。
【００７２】
[0084]いくつかの態様では、上述のように、ＵＥ６５０によって実装可能なスループット制御技法は、ＵＥ６５０のＨＡＲＱフィードバックをＮＡＣＫオーバーライドすること（たとえば、ＵＥにおける受信されたデータに対応する実際のＨＡＲＱフィードバックにかかわらずＮＡＣＫを送ること）を含み得る。一態様では、ＵＥ６５０は、ＵＥ６５０において受信された送信に対応する測定された瞬時スループットＴ＿ｉｎｓｔａｎｔと、構成可能な所望のスループットしきい値Ｔ＿Ｄｅｓｉｒｅｄとの比較に基づいて、ＵＥ６５０における受信されたデータ（たとえば、１つまたは複数のＤＬトランスポートブロック）に対応するＨＡＲＱフィードバックをオーバーライドすることに関する提案を決定し得る。いくつかの態様では、複数の判定領域（decision regions）が定義され得、定義された判定領域のうちのどれに比較の結果が入る（falls in）かに基づいて、ＨＡＲＱフィードバックをオーバーライドするという提案が決定され得る。
【００７３】
[0085]図１０は、本開示のいくつかの態様による、ＵＥにおけるＨＡＲＱフィードバックをオーバーライドすることに関する提案の生成のための３つの判定領域を示す。
【００７４】
[0086]図１０に示されているように、トランスポートブロックの測定されたＴ＿ｉｎｓｔａｎｔがＴ＿Ｄｅｓｉｒｅｄの９０％に等しいかまたはそれを超える場合、比較の結果は判定領域１、１００２に入り、ここで、ＵＥ６５０は、常に（always）トランスポートブロックのＨＡＲＱフィードバックをＮＡＣＫでオーバーライドするという提案を決定する。トランスポートブロックの測定されたＴ＿ｉｎｓｔａｎｔがＴ＿Ｄｅｓｉｒｅｄの７０％から９０％の間である場合、比較の結果は領域２、１００４に入り、ここで、ＵＥ６５０は、選択的にＨＡＲＱフィードバックをＮＡＣＫでオーバーライドするという提案を決定する。最後に、トランスポートブロックの測定されたＴ＿ｉｎｓｔａｎｔがＴ＿Ｄｅｓｉｒｅｄの７０％に等しいかまたはそれを下回る場合、比較の結果は領域３、１００６に入り、ここで、ＵＥ６５０は、決してＨＡＲＱフィードバックをＮＡＣＫでオーバーライドしないという（to never override）提案を決定する。
【００７５】
[0087]一態様では、ＵＥが１つまたは複数のトランスポートブロックのＨＡＲＱフィードバックをオーバーライドするかどうかを決定するＴ＿Ｄｅｓｉｒｅｄの割合は、構成可能である。
【００７６】
[0088]一態様では、Ｔ＿ｉｎｓｔａｎｔとＴ＿Ｄｅｓｉｒｅｄとを比較した結果が判定領域２に入るとき、ＵＥ６５０は、ＵＥ６５０への送信のためにｅＮＢ６１０によって使用されたＣＱＩオフセットが相殺されるおよび／または無効にされるように、ＨＡＲＱフィードバックをＮＡＣＫオーバーライドするという提案を選択的に決定する。上述のように、ｅＮＢ６１０は、受信された肯定ＡＣＫメッセージに対する正のＣＱＩオフセット、および／または受信されたＮＡＣＫに対する負のＣＱＩオフセットを決定し得る。正のＣＱＩオフセットは、ＵＥ６５０へのフローレートを上げ、ＵＥ６５０による試みられた（attempted）スループット制御を補償し、ＵＥ６５０における過負荷状態につながり得る。
【００７７】
[0089]いくつかの場合には、ＵＥ６５０は、ｅＮＢ６１０における負のＣＱＩオフセットの生成を引き起こすために、選択的にＮＡＣＫをｅＮＢ６１０に送り、その結果、ＤＬフローレートが減少し、それにより、正のＣＱＩオフセットの影響を相殺し得るおよび／または無効にし得る。たとえば、１０％のブロックエラーレート（ＢＬＥＲ）を仮定すると、ｅＮＢ６１０におけるＯＬＬＡは、各受信された肯定ＡＣＫメッセージについて＋０．０１のＣＱＩオフセットを生成することになり、各受信されたＮＡＣＫについて−０．０９のＣＱＩオフセットを生成することになる。正のオフセットを相殺するために、ＵＥは、１０個のＨＡＲＱフィードバックメッセージごとに少なくとも１つのＮＡＣＫが送られることを保証するために、少なくとも１０個のＨＡＲＱフィードバックごとにＮＡＣＫ提案を生成し得る（たとえば、１０％のＨＡＲＱ  ＮＡＣＫ割合）。
【００７８】
[0090]いくつかの態様では、ＵＥ６５０は、トランスポートブロックについてのＨＡＲＱフィードバックをオーバーライドすることに関する提案に基づいて、およびトランスポートブロックがＵＥにおいて正確に受信されたか否かに基づいて、ＵＥ６５０において受信された受信されたトランスポートブロックについての肯定応答（ＡＣＫ）メッセージを決定し得る。
【００７９】
[0091]図１１ａ、図１１ｂ、および図１１ｃは、本開示のいくつかの態様による、ＵＥ６５０において受信されたトランスポートブロックについての肯定応答メッセージの生成を示す。
【００８０】
[0092]図１１ａは、ＵＥ１１０４が熱的過負荷またはほぼ過負荷および／あるいはＣＰＵ過負荷またはほぼ過負荷を経験しているときに、ＵＥ１１０４における不正確に受信されたトランスポートブロック（ＴＢ）に対応する、ｅＮＢ１１０２とＵＥ１１０４との間の信号フローを示す。
【００８１】
[0093]図１１ａに示されているように、ＴＢの第１の送信が１１２２においてＵＥ１１０４によって不正確に受信されたとき、ＵＥは、決定されたオーバーライド提案にかかわらず、ＮＡＣＫをｅＮＢ１１０２に送る。図示のように、ＵＥ１１０４は、１１２２において、ＴＢの１つまたは複数の再送信との将来の組合せのために、不正確に受信されたＴＢをＨＡＲＱバッファメモリ１１０６にフォワーディングし（forward）得る。ＮＡＣＫに応答して、ＵＥ１１０４は、１１２４において、ＴＢの再送信を受信し、これは、正確に受信することが可能である。図示のように、ＵＥは、１１２４において、メモリ１１０６に記憶された、ＴＢの不正確に受信された第１の送信を、ＴＢの正確に受信された再送信と組み合わせ、正確なＴＢを上位レイヤ１１０８にフォワーディングする。
【００８２】
[0094]図１１ｂは、ＵＥ１１０４がバス過負荷またはほぼ過負荷を経験しているときに、ＵＥ１１０４における不正確に受信されたＴＢに対応する、ＵＥ１１０４とｅＮＢ１１０２との間の信号フローを示す。
【００８３】
[0095]図１１ｂに示されているように、ＴＢの第１の送信が１１３２においてＵＥ１１０４によって不正確に受信されたとき、図１１ａの場合と同様に、ＵＥは、決定されたオーバーライド提案にかかわらず、ＮＡＣＫをｅＮＢ１１０２に送る。しかしながら、この場合、ＵＥ１１０４は、たとえば、バスをさらに制約することを回避するために、不正確に受信されたＴＢをＨＡＲＱバッファメモリ１１０６にフォワーディングしない。図示のように、ＵＥ１１０４は、１１３４において、ＴＢの前の送信とのコーミングなしに（without combing with any previous transmissions of the TB）、ＴＢの正確に受信された再送信を上位レイヤ１１０８にフォワーディングする。
【００８４】
[0096]図１１ｃは、ＵＥ１１０４における正確に受信されたＴＢに対応する、ｅＮＢ１１０２とＵＥ１１０４との間の信号フローを示す。ＵＥ１１０４が１１４２においてＴＢの第１の送信を正確に受信したとき、ＵＥ１１０４は、上記で説明されたオーバーライド提案を検査する（checks）。オーバーライド提案がＨＡＲＱフィードバックをＮＡＣＫオーバーライドすることである場合、ＵＥ１１０４は、図１１ｃに示されているように、正確に受信されたＴＢに応答して、ＮＡＣＫをｅＮＢ１１０２に送り、正確に受信されたＴＢを上位レイヤ１１０８に直接フォワーディングする。ＵＥ１１０４は、１１４４において、ＴＢの再送信を廃棄し（discard）、再送信に応答して、それが正確に受信されたか否かにかかわらず、肯定ＡＣＫメッセージを送り得る。一方、オーバーライド提案がＨＡＲＱフィードバックをオーバーライドしないこと（to not override）である場合、ＵＥ１１０４は、１１４２において、ＴＢの正確に受信された第１の送信に応答して、肯定ＡＣＫメッセージを送り得る。
【００８５】
[0097]いくつかの態様では、ＵＥ１１０４は、提案にかかわらず、ＴＢの最後のＨＡＲＱ再送信について、それが正確に受信されている場合、ＮＡＣＫを送ることを回避するように構成され得る。さらに、ＵＥは、ＴＢの前の送信または再送信が正確に受信された場合、ＴＢの再送信について肯定ＡＣＫメッセージを送るように構成され得る。
【００８６】
[0098]上述のように、ｅＮＢアウターループ（outer loop）（たとえば、ＯＬＬＡ）に対抗する（counter）技法は、ｅＮＢ  ＣＱＩオフセットが相殺されるおよび／または無効にされるように、選択的にＨＡＲＱフィードバックをＮＡＣＫオーバーライドすることである。一態様では、ｅＮＢアウターループに対抗するための追加または代替の方法は、ＣＱＩ報告においてネットワークＣＱＩオフセットを検出および補償することによるものである。たとえば、所望のＤＬフローレートがＱ１のＣＱＩ値に対応し、ＵＥ６５０がＱ２のｅＮＢ  ＣＱＩオフセット値を決定した場合、ＵＥ６５０は、ｅＮＢ６１０がＵＥ６５０への後続のＤＬ送信のためのＭＣＳを決定するためにＣＱＩ＝（Ｑ１−Ｑ２）＋Ｑ２＝Ｑ１を使用するように、ＣＱＩ＝Ｑ１−Ｑ２を報告し得る。一態様では、ＵＥ６１０は、ＵＥ６１０報告ＣＱＩ（UE 610 reported CQI）と、受信されたＤＬ送信（たとえば、後続の（subsequent）受信されたＤＬ送信）に対応するＭＣＳとに基づいて、ＣＱＩオフセットＱ２を決定し得る。たとえば、ＵＥがＱ２ａのＣＱＩ値を報告し、Ｑ２ａを送信した後の（subsequent to）ＤＬ送信に対応するＭＣＳがＭＣＳ  Ｂであると仮定すると。ＵＥ６５０は、ＭＣＳ  Ｂを対応するＣＱＩ値Ｑ２ｂ（corresponding CQI value Q2b）に変換し得、これは、ｅＮＢ６１０がＵＥ６５０のためのＭＣＳ  Ｂを決定するために実際に使用したＣＱＩである。ＵＥ６５０は、ｅＮＢ  ＣＱＩオフセットＱ２＝Ｑ２ｂ−Ｑ２ａを決定し得る。
【００８７】
[0099]図１２は、本開示のいくつかの態様による、ＵＥ６５０において受信される送信のフローレートを調整するための、たとえば、ＵＥ６５０によって実行される例示的な動作１２００を示す。
【００８８】
[0100]動作１２００は、１２０２において、ＵＥ６５０においてＢＳ６１０から受信される送信のフローレートを調整するために、所望のスループットと比較される、受信されたダウンリンク（ＤＬ）送信に対応する瞬時スループットの比較に基づいて、および基地局６１０によって適用されたＣＱＩオフセットの決定にさらに基づいて、ＢＳ６１０に与えられるフィードバックを調整することによって開始する。１２０４において、ＵＥ６５０は、調整されたフィードバックをＢＳ６１０に送信する。
【００８９】
[0101]態様では、ＢＳ６１０に与えられるフィードバックを調整することは、ＵＥ６５０において実際に測定されたＣＱＩよりも低いＣＱＩを送信することによって、劣化したチャネルをシミュレートすることを含む。一態様では、上述のように、ＵＥ６５０は、瞬時スループットと所望のスループットとの比較に基づいて、ＵＥ６５０において受信された１つまたは複数のＴＢのＨＡＲＱフィードバックをＮＡＣＫオーバーライドするという提案を生成し得る。ＵＥ６１０はまた、上述のように、ＵＥ６５０への送信のためにＢＳ６１０によって使用されたＣＱＩオフセットを生成し得る。一態様では、ＵＥ６５０は、ＣＱＩオフセットの決定された値に基づいて、ＴＢについてのＮＡＣＫフィードバックを送ることによって、ＵＥ６５０において受信された１つまたは複数のＴＢのＨＡＲＱフィードバックを調整し得る。たとえば、決定されたＣＱＩオフセットが正値である場合、ＵＥ６５０は、ＣＱＩオフセットを相殺するおよび／または無効にする試みにおいて、１つまたは複数のＴＢについてＮＡＣＫを送り得る。上述のように、ＵＥ６５０は、ＵＥプロセッサ使用量、ＵＥメモリ使用量、ＵＥ温度、またはＵＥバス使用量のうちの少なくとも１つに基づくトリガ条件に応答して、フィードバックを調整し得る。別の態様では、ＵＥは、ＵＥ６５０のＨＡＲＱ履歴に基づいてフィードバックを調整し得る。態様では、スループットは、ＵＥプロセッサスループット、ＵＥメモリスループット、ＵＥバススループットおよび／またはＤＬ送信スループットを含む。
【００９０】
[0102]本開示のいくつかの態様では、ＵＥ６５０は、ＵＥ６５０において実際に測定されたＣＱＩよりも低いＣＱＩを送信することによって劣化したチャネルをシミュレートするための技法と組み合わせて、上記で説明されたＨＡＲＱフィードバックオーバーライドするための技法を使用し得る。この場合、ＨＡＲＱフィードバックを（of）ＮＡＣＫオーバーライドすることは、ｅＮＢ６１０におけるアウターループリンク適応（adaption）に対抗するために使用され得る。いくつかの態様では、スループット制御トリガが除去されたとき、たとえば、ＵＥ６５０が過負荷状態から出たとき、ＵＥ６５０は、ある時間期間にわたって（over a period of time）、たとえば、複数の（multiple）ＣＱＩ報告を介して、報告されたＣＱＩを徐々に（gradually）増加させることによって、スループットを回復し得る。一態様では、ＵＥ６５０が、それが過負荷状況から出たときに高ＤＬスループットを緊急に必要としている場合、ＵＥ６５０は、ＣＱＩを実際に測定された値まで直ちに増加させ得る。
【００９１】
[0103]いくつかの態様では、ＵＥ６５０は、ＨＡＲＱ  ＮＡＣＫ割合がＵＥ報告ＣＱＩに従う（is consistent with）ことを確認するように構成され得る。そうする際に、上述のように、ＵＥ６５０は、複数のＣＱＩ報告中で段階的に（stepwise）、報告されたＣＱＩを徐々に低減し得る。たとえば、時間ｔ＝０ｍｓにおいて、ＵＥ６５０はＣＱＩ＝Ｑを報告し得、時間ｔ＝Ｔ１ｍｓ（たとえば、次の報告機会（opportunity））において、ＵＥはＣＱＩ＝Ｑ−Ｘを報告し得、ｔ−Ｔ２ｍｓ（たとえば、第３の報告機会）において、ＵＥ６５０はＣＱＩ＝Ｑ−Ｘ−Ｙを報告し得、実際に測定されたまたは所望のＣＱＩ値が達せられるまで、以下同様である。一態様では、ＵＥ６５０はＣＱＩ値を線形的に低減し得る。一態様では、ＵＥ６５０は、スループットが線形的にまたは非線形的に（たとえば、幾何級数的に（geometrically））低下する（drops）ように、ＣＱＩを低減し得る。一態様では、ＵＥ６５０は、スループットが１／ｎまで幾何級数的に低下するように、ＣＱＩを低減し得、ここで、ｎ＝２、３、４である。一態様では、ＵＥ６５０は、次のＣＱＩ報告中で再びＣＱＩを低減する前に、ダウンリンクＭＣＳがｅＮＢ６１０によってすでに低減されていることを確認し得る。極端な場合、上述のように、ＵＥ６５０は、１つのＣＱＩ報告中でＣＱＩを所望のレベルまで減少させ得る。
【００９２】
[0104]開示されるプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９３】
[0105]その上、「または」という用語は、排他的な「または」ではなく、包括的な「または」を意味するものとする。すなわち、別段に規定されていない限り、または文脈から明らかでない限り、たとえば、「ＸはＡまたはＢを採用する」という句は、自然包括的並べ替えのいずれかを意味するものとする。すなわち、たとえば、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とで使用される冠詞「ａ」および「ａｎ」は、別段に規定されていない限り、または単数形を対象とすることが文脈から明らかでない限り、概して「１つまたは複数」を意味するものと解釈されるべきである。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００９４】
[0106]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
【図１】
2018522449.tif 000003
【図２】
2018522449.tif 000004
【図３】
2018522449.tif 000005
【図４】
2018522449.tif 000006
【図５】
2018522449.tif 000007
【図６】
2018522449.tif 000008
【図７】
2018522449.tif 000009
【図８】
2018522449.tif 000010
【図９】
2018522449.tif 000011
【図１０】
2018522449.tif 000012
【図１１ａ】
2018522449.tif 000013
【図１１ｂ】
2018522449.tif 000014
【図１１ｃ】
2018522449.tif 000015
【図１２】
2018522449.tif 000016
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
トリガ条件を検出したことに応答して、前記ＵＥにおいて基地局（ＢＳ）から受信される送信のフローレートを調整するために、前記ＢＳに与えられるフィードバックを調整するという提案を決定することと、
前記提案と少なくとも１つの追加の条件とに基づいて、前記フィードバックを調整することと、ここにおいて、前記フィードバックを調整することが、前記基地局によって適用されたチャネル品質インジケータ（ＣＱＩ）オフセットの前記ＵＥによる決定に基づいて、前記フィードバックを調整することを備える、
前記調整されたフィードバックを前記ＢＳに送信することと
を備える、方法。
【請求項２】
前記トリガ条件が、ＵＥプロセッサ使用量、ＵＥメモリ使用量、ＵＥ温度、またはＵＥバス使用量のうちの少なくとも１つに関連する過負荷またはほぼ過負荷に基づく、請求項１に記載の方法。
【請求項３】
前記調整されたフィードバックを送信することが、実際に測定されたチャネル品質インジケータ（ＣＱＩ）よりも低い、少なくとも１つのＣＱＩを送信することを備える、請求項２に記載の方法。
【請求項４】
将来のダウンリンク（ＤＬ）送信の前記フローレートを回復するために、前記ＵＥによって報告されるＣＱＩを実際に測定されたＣＱＩまで徐々に増加させることをさらに備える、請求項３に記載の方法。
【請求項５】
前記フィードバックを調整することが、
前記基地局に前に送信された第１のＣＱＩと、前記第１のＣＱＩを送信した後に前記基地局から受信された前記ＤＬ送信とに基づいて、前記基地局によって使用された前記ＣＱＩオフセットを決定することと、
前記決定されたＣＱＩオフセットを補償した後に前記基地局に送信されるべき第２のＣＱＩを決定することと
を備え、
ここにおいて、前記調整されたフィードバックを送信することが、前記第２のＣＱＩを前記基地局に送信することを備える、
請求項１に記載の方法。
【請求項６】
前記ＣＱＩオフセットを決定することが、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を備える、請求項５に記載の方法。
【請求項７】
前記第２のＣＱＩを決定することが、前記ＵＥにおいて実際に測定されたＣＱＩから前記決定されたＣＱＩオフセットを減算することによって、前記第２のＣＱＩを決定することを備える、請求項５に記載の方法。
【請求項８】
前記トリガ条件は、前記受信されたＤＬ送信に対応する瞬時スループットが、所望のスループットに基づくしきい値に等しいかまたはそれよりも高いことを備える、請求項１に記載の方法。
【請求項９】
前記提案を決定することが、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定することを備える、請求項１に記載の方法。
【請求項１０】
前記フィードバックを調整することは、
前記少なくとも１つのトランスポートブロックが前記ＵＥにおいて正確に受信されたかどうかを含む前記少なくとも１つの追加の条件と前記提案とに基づいて、前記ＵＥにおいて受信された前記少なくとも１つのトランスポートブロックについての肯定応答（ＡＣＫ）メッセージを生成すること
を備え、
ここにおいて、前記調整されたフィードバックを送信することが、前記生成されたＡＣＫメッセージを送信することを備える、
請求項９に記載の方法。
【請求項１１】
前記ＨＡＲＱフィードバックをＮＡＣＫオーバーライドすることに関する前記提案を決定することが、
ＤＬ送信に対応する瞬時スループットを所望のスループットしきい値と比較することと、
前記比較の結果に基づいて前記提案を決定することと
を備える、請求項９に記載の方法。
【請求項１２】
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、請求項１１に記載の方法。
【請求項１３】
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定ＡＣＫに設定することと
を備える、請求項１０に記載の方法。
【請求項１４】
前記ＡＣＫメッセージがＮＡＣＫに設定されたとき、
前記正確に受信されたトランスポートブロックを上位レイヤにフォワーディングすることと、
前記ＵＥによって送信された前記ＡＣＫメッセージを受信したことに応答して前記基地局によって再送信された後続のトランスポートブロックを受信したことに応答して、肯定ＡＣＫを送信することと
をさらに備える、請求項１３に記載の方法。
【請求項１５】
前記ＵＥによって送信されるＨＡＲＱ  ＮＡＣＫの割合が、前記ＵＥによって報告されるＣＱＩに従う、請求項１０に記載の方法。
【請求項１６】
前記ＡＣＫメッセージを生成することが、前記基地局におけるＣＱＩオフセットを相殺するために、数個の肯定ＡＣＫごとに少なくとも１つのＮＡＣＫを生成することを備える、請求項１０に記載の方法。
【請求項１７】
ユーザ機器（ＵＥ）によるワイヤレス通信のための装置であって、
トリガ条件を検出したことに応答して、前記ＵＥにおいて基地局（ＢＳ）から受信される送信のフローレートを調整するために、前記ＢＳに与えられるフィードバックを調整するという提案を決定するための手段と、
前記提案と少なくとも１つの追加の条件とに基づいて、前記フィードバックを調整するための手段と、ここにおいて、前記フィードバックを調整することが、前記基地局によって適用されたチャネル品質インジケータ（ＣＱＩ）オフセットの前記ＵＥによる決定に基づいて、前記フィードバックを調整することを備える、
前記調整されたフィードバックを前記ＢＳに送信するための手段と
を備える、装置。
【請求項１８】
前記トリガ条件が、ＵＥプロセッサ使用量、ＵＥメモリ使用量、ＵＥ温度、またはＵＥバス使用量のうちの少なくとも１つに基づく、請求項１７に記載の装置。
【請求項１９】
前記調整されたフィードバックを送信するための前記手段が、実際に測定されたチャネル品質インジケータ（ＣＱＩ）よりも低い、少なくとも１つのＣＱＩを送信するように構成された、請求項１８に記載の方法。
【請求項２０】
前記フィードバックを調整するための前記手段が、
前記基地局に前に送信された第１のＣＱＩと、前記第１のＣＱＩを送信した後に前記基地局から受信された前記ＤＬ送信とに基づいて、前記基地局によって使用された前記ＣＱＩオフセットを決定することと、
前記決定されたＣＱＩオフセットを補償した後に前記基地局に送信されるべき第２のＣＱＩを決定することと
を行うように構成され、
ここにおいて、前記調整されたフィードバックを送信することが、前記第２のＣＱＩを前記基地局に送信することを備える、
請求項１７に記載の装置。
【請求項２１】
前記ＣＱＩオフセットを決定するための前記手段が、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を行うように構成された、請求項２０に記載の装置。
【請求項２２】
前記提案を決定するための前記手段が、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定するように構成された、請求項１７に記載の装置。
【請求項２３】
前記フィードバックを調整するための前記手段は、
前記少なくとも１つのトランスポートブロックが前記ＵＥにおいて正確に受信されたかどうかを含む前記少なくとも１つの追加の条件と前記提案とに基づいて、前記ＵＥにおいて受信された前記少なくとも１つのトランスポートブロックについての肯定応答（ＡＣＫ）メッセージを生成すること
を行うように構成され、
ここにおいて、前記調整されたフィードバックを送信することが、前記生成されたＡＣＫメッセージを送信することを備える、
請求項２２に記載の装置。
【請求項２４】
前記ＨＡＲＱフィードバックをＮＡＣＫオーバーライドすることに関する前記提案を決定するための前記手段が、
ＤＬ送信に対応する瞬時スループットを所望のスループットしきい値と比較することと、
前記比較の結果に基づいて前記提案を決定することと
を行うように構成された、請求項２２に記載の装置。
【請求項２５】
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、請求項２４に記載の装置。
【請求項２６】
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定応答ＡＣＫに設定することと
を備える、請求項２３に記載の装置。
【請求項２７】
ユーザ機器（ＵＥ）によるワイヤレス通信のための方法であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの前記ＵＥによる決定に基づいて、前記ＢＳに与えられるフィードバックを調整することと、
前記調整されたフィードバックを前記ＢＳに送信することと
を備える、方法。
【請求項２８】
フィードバックを調整することが、ＵＥプロセッサ使用量、ＵＥメモリ使用量、ＵＥ温度、またはＵＥバス使用量のうちの少なくとも１つに基づくトリガ条件に応答して、フィードバックを調整することを含む、請求項２７に記載の方法。
【請求項２９】
フィードバックを調整することが、ハイブリッド自動再送要求（ＨＡＲＱ）履歴にさらに基づいて、フィードバックを調整することを含む、請求項２７に記載の方法。
【請求項３０】
ユーザ機器（ＵＥ）によるワイヤレス通信のための装置であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの前記ＵＥによる決定に基づいて、前記ＢＳに与えられるフィードバックを調整するための手段と、
前記調整されたフィードバックを前記ＢＳに送信するための手段と
を備える、装置。
【手続補正２】
【補正対象書類名】明細書
【補正対象項目名】００９４
【補正方法】変更
【補正の内容】
【００９４】
[0106]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）によるワイヤレス通信のための方法であって、
トリガ条件を検出したことに応答して、前記ＵＥにおいて基地局（ＢＳ）から受信される送信のフローレートを調整するために、前記ＢＳに与えられるフィードバックを調整するという提案を決定することと、
前記提案と少なくとも１つの追加の条件とに基づいて、前記フィードバックを調整することと、
前記調整されたフィードバックを前記ＢＳに送信することと
を備える、方法。
［Ｃ２］
前記トリガ条件が、ＵＥプロセッサ使用量、ＵＥメモリ使用量、ＵＥ温度、またはＵＥバス使用量のうちの少なくとも１つに関連する過負荷またはほぼ過負荷に基づく、Ｃ１に記載の方法。
［Ｃ３］
前記調整されたフィードバックを送信することが、実際に測定されたチャネル品質インジケータ（ＣＱＩ）よりも低い、少なくとも１つのＣＱＩを送信することを備える、Ｃ２に記載の方法。
［Ｃ４］
将来のダウンリンク（ＤＬ）送信の前記フローレートを回復するために、前記ＵＥによって報告されるＣＱＩを実際に測定されたＣＱＩまで徐々に増加させることをさらに備える、Ｃ３に記載の方法。
［Ｃ５］
前記フィードバックを調整することが、
前記基地局に前に送信された第１のＣＱＩと、前記第１のＣＱＩを送信した後に前記基地局から受信された前記ＤＬ送信とに基づいて、前記基地局によって使用されたＣＱＩオフセットを決定することと、
前記決定されたＣＱＩオフセットを補償した後に前記基地局に送信されるべき第２のＣＱＩを決定することと
を備え、
ここにおいて、前記調整されたフィードバックを送信することが、前記第２のＣＱＩを前記基地局に送信することを備える、
Ｃ１に記載の方法。
［Ｃ６］
前記ＣＱＩオフセットを決定することが、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を備える、Ｃ５に記載の方法。
［Ｃ７］
前記第２のＣＱＩを決定することが、前記ＵＥにおいて実際に測定されたＣＱＩから前記決定されたＣＱＩオフセットを減算することによって、前記第２のＣＱＩを決定することを備える、Ｃ５に記載の方法。
［Ｃ８］
前記トリガ条件は、前記受信されたＤＬ送信に対応する瞬時スループットが、所望のスループットに基づくしきい値に等しいかまたはそれよりも高いことを備える、Ｃ１に記載の方法。
［Ｃ９］
前記提案を決定することが、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定することを備える、Ｃ１に記載の方法。
［Ｃ１０］
前記フィードバックを調整することは、
前記少なくとも１つのトランスポートブロックが前記ＵＥにおいて正確に受信されたかどうかを含む前記少なくとも１つの追加の条件と前記提案とに基づいて、前記ＵＥにおいて受信された前記少なくとも１つのトランスポートブロックについての肯定応答（ＡＣＫ）メッセージを生成すること
を備え、
ここにおいて、前記調整されたフィードバックを送信することが、前記生成されたＡＣＫメッセージを送信することを備える、
Ｃ９に記載の方法。
［Ｃ１１］
前記ＨＡＲＱフィードバックをＮＡＣＫオーバーライドすることに関する前記提案を決定することが、
ＤＬ送信に対応する瞬時スループットを所望のスループットしきい値と比較することと、
前記比較の結果に基づいて前記提案を決定することと
を備える、Ｃ９に記載の方法。
［Ｃ１２］
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、Ｃ１１に記載の方法。
［Ｃ１３］
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定ＡＣＫに設定することと
を備える、Ｃ１０に記載の方法。
［Ｃ１４］
前記ＡＣＫメッセージがＮＡＣＫに設定されたとき、
前記正確に受信されたトランスポートブロックを上位レイヤにフォワーディングすることと、
前記ＵＥによって送信された前記ＡＣＫメッセージを受信したことに応答して前記基地局によって再送信された後続のトランスポートブロックを受信したことに応答して、肯定ＡＣＫを送信することと
をさらに備える、Ｃ１３に記載の方法。
［Ｃ１５］
前記ＵＥによって送信されるＨＡＲＱ  ＮＡＣＫの割合が、前記ＵＥによって報告されるＣＱＩに従う、Ｃ１０に記載の方法。
［Ｃ１６］
前記ＡＣＫメッセージを生成することが、前記基地局におけるＣＱＩオフセットを相殺するために、数個の肯定ＡＣＫごとに少なくとも１つのＮＡＣＫを生成することを備える、Ｃ１０に記載の方法。
［Ｃ１７］
ユーザ機器（ＵＥ）によるワイヤレス通信のための装置であって、
トリガ条件を検出したことに応答して、前記ＵＥにおいて基地局（ＢＳ）から受信される送信のフローレートを調整するために、前記ＢＳに与えられるフィードバックを調整するという提案を決定するための手段と、
前記提案と少なくとも１つの追加の条件とに基づいて、前記フィードバックを調整するための手段と、
前記調整されたフィードバックを前記ＢＳに送信するための手段と
を備える、装置。
［Ｃ１８］
前記トリガ条件が、ＵＥプロセッサ使用量、ＵＥメモリ使用量、ＵＥ温度、またはＵＥバス使用量のうちの少なくとも１つに基づく、Ｃ１７に記載の装置。
［Ｃ１９］
前記調整されたフィードバックを送信するための前記手段が、実際に測定されたチャネル品質インジケータ（ＣＱＩ）よりも低い、少なくとも１つのＣＱＩを送信するように構成された、Ｃ１８に記載の方法。
［Ｃ２０］
前記フィードバックを調整するための前記手段が、
前記基地局に前に送信された第１のＣＱＩと、前記第１のＣＱＩを送信した後に前記基地局から受信された前記ＤＬ送信とに基づいて、前記基地局によって使用されたＣＱＩオフセットを決定することと、
前記決定されたＣＱＩオフセットを補償した後に前記基地局に送信されるべき第２のＣＱＩを決定することと
を行うように構成され、
ここにおいて、前記調整されたフィードバックを送信することが、前記第２のＣＱＩを前記基地局に送信することを備える、
Ｃ１７に記載の装置。
［Ｃ２１］
前記ＣＱＩオフセットを決定するための前記手段が、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を行うように構成された、Ｃ２０に記載の装置。
［Ｃ２２］
前記提案を決定するための前記手段が、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定するように構成された、Ｃ１７に記載の装置。
［Ｃ２３］
前記フィードバックを調整するための前記手段は、
前記少なくとも１つのトランスポートブロックが前記ＵＥにおいて正確に受信されたかどうかを含む前記少なくとも１つの追加の条件と前記提案とに基づいて、前記ＵＥにおいて受信された前記少なくとも１つのトランスポートブロックについての肯定応答（ＡＣＫ）メッセージを生成すること
を行うように構成され、
ここにおいて、前記調整されたフィードバックを送信することが、前記生成されたＡＣＫメッセージを送信することを備える、
Ｃ２２に記載の装置。
［Ｃ２４］
前記ＨＡＲＱフィードバックをＮＡＣＫオーバーライドすることに関する前記提案を決定するための前記手段が、
ＤＬ送信に対応する瞬時スループットを所望のスループットしきい値と比較することと、
前記比較の結果に基づいて前記提案を決定することと
を行うように構成された、Ｃ２２に記載の装置。
［Ｃ２５］
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、Ｃ２４に記載の装置。
［Ｃ２６］
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定応答ＡＣＫに設定することと
を備える、Ｃ２３に記載の装置。
［Ｃ２７］
ユーザ機器（ＵＥ）によるワイヤレス通信のための方法であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの決定に基づいて、前記ＢＳに与えられるフィードバックを調整することと、
前記調整されたフィードバックを前記ＢＳに送信することと
を備える、方法。
［Ｃ２８］
フィードバックを調整することが、ＵＥプロセッサ使用量、ＵＥメモリ使用量、ＵＥ温度、またはＵＥバス使用量のうちの少なくとも１つに基づくトリガ条件に応答して、フィードバックを調整することを含む、Ｃ２７に記載の方法。
［Ｃ２９］
フィードバックを調整することが、ハイブリッド自動再送要求（ＨＡＲＱ）履歴にさらに基づいて、フィードバックを調整することを含む、Ｃ２７に記載の方法。
［Ｃ３０］
ユーザ機器（ＵＥ）によるワイヤレス通信のための装置であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの決定に基づいて、前記ＢＳに与えられるフィードバックを調整するための手段と、
前記調整されたフィードバックを前記ＢＳに送信するための手段と
を備える、装置。
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
トリガ条件を検出したことに応答して、前記ＵＥにおいて基地局（ＢＳ）から受信される送信のフローレートを調整するために、前記ＢＳに与えられるフィードバックを調整するという提案を決定することと、
前記提案と追加の条件とに基づいて、前記フィードバックを調整することと、ここにおいて、前記フィードバックを調整することが、前記基地局によって適用されたチャネル品質インジケータ（ＣＱＩ）オフセットの前記ＵＥによる決定に基づいて、前記フィードバックを調整することを備える、
前記調整されたフィードバックを前記ＢＳに送信することと
を備える、方法。
【請求項２】
前記トリガ条件が、ＵＥプロセッサ使用量、ＵＥメモリ使用量、ＵＥ温度、またはＵＥバス使用量のうちの少なくとも１つに関連する過負荷またはほぼ過負荷に基づく、請求項１に記載の方法。
【請求項３】
前記調整されたフィードバックを送信することが、実際に測定されたチャネル品質インジケータ（ＣＱＩ）よりも低い、少なくとも１つのＣＱＩを送信することを備える、請求項２に記載の方法。
【請求項４】
将来のダウンリンク（ＤＬ）送信の前記フローレートを回復するために、前記ＵＥによって報告されるＣＱＩを実際に測定されたＣＱＩまで徐々に増加させることをさらに備える、請求項３に記載の方法。
【請求項５】
前記フィードバックを調整することが、
前記基地局に前に送信された第１のＣＱＩと、前記第１のＣＱＩを送信した後に前記基地局から受信された前記ＤＬ送信とに基づいて、前記基地局によって使用された前記ＣＱＩオフセットを決定することと、
前記決定されたＣＱＩオフセットを補償した後に前記基地局に送信されるべき第２のＣＱＩを決定することと
を備え、
ここにおいて、前記調整されたフィードバックを送信することが、前記第２のＣＱＩを前記基地局に送信することを備える、
請求項１に記載の方法。
【請求項６】
前記ＣＱＩオフセットを決定することが、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を備える、請求項５に記載の方法。
【請求項７】
前記第２のＣＱＩを決定することが、前記ＵＥにおいて実際に測定されたＣＱＩから前記決定されたＣＱＩオフセットを減算することによって、前記第２のＣＱＩを決定することを備える、請求項５に記載の方法。
【請求項８】
前記トリガ条件は、前記受信されたＤＬ送信に対応する瞬時スループットが、所望のスループットに基づくしきい値に等しいかまたはそれよりも高いことを備える、請求項１に記載の方法。
【請求項９】
前記提案を決定することが、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定することを備える、請求項１に記載の方法。
【請求項１０】
前記フィードバックを調整することは、
前記少なくとも１つのトランスポートブロックが前記ＵＥにおいて正確に受信されたかどうかを含む前記追加の条件と前記提案とに基づいて、前記ＵＥにおいて受信された前記少なくとも１つのトランスポートブロックについての肯定応答（ＡＣＫ）メッセージを生成すること
を備え、
ここにおいて、前記調整されたフィードバックを送信することが、前記生成されたＡＣＫメッセージを送信することを備える、
請求項９に記載の方法。
【請求項１１】
前記ＨＡＲＱフィードバックをＮＡＣＫオーバーライドすることに関する前記提案を決定することが、
ＤＬ送信に対応する瞬時スループットを所望のスループットしきい値と比較することと、
前記比較の結果に基づいて前記提案を決定することと
を備える、請求項９に記載の方法。
【請求項１２】
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、請求項１１に記載の方法。
【請求項１３】
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定ＡＣＫに設定することと
を備える、請求項１０に記載の方法。
【請求項１４】
前記ＡＣＫメッセージがＮＡＣＫに設定されたとき、
前記正確に受信されたトランスポートブロックを上位レイヤにフォワーディングすることと、
前記ＵＥによって送信された前記ＡＣＫメッセージを受信したことに応答して前記基地局によって再送信された後続のトランスポートブロックを受信したことに応答して、肯定ＡＣＫを送信することと
をさらに備える、請求項１３に記載の方法。
【請求項１５】
前記ＵＥによって送信されるＨＡＲＱ  ＮＡＣＫの割合が、前記ＵＥによって報告されるＣＱＩに従う、請求項１０に記載の方法。
【請求項１６】
前記ＡＣＫメッセージを生成することが、前記基地局におけるＣＱＩオフセットを相殺するために、数個の肯定ＡＣＫごとに少なくとも１つのＮＡＣＫを生成することを備える、請求項１０に記載の方法。
【請求項１７】
ユーザ機器（ＵＥ）によるワイヤレス通信のための装置であって、
トリガ条件を検出したことに応答して、前記ＵＥにおいて基地局（ＢＳ）から受信される送信のフローレートを調整するために、前記ＢＳに与えられるフィードバックを調整するという提案を決定するための手段と、
前記提案と追加の条件とに基づいて、前記フィードバックを調整するための手段と、ここにおいて、前記フィードバックを調整することが、前記基地局によって適用されたチャネル品質インジケータ（ＣＱＩ）オフセットの前記ＵＥによる決定に基づいて、前記フィードバックを調整することを備える、
前記調整されたフィードバックを前記ＢＳに送信するための手段と
を備える、装置。
【請求項１８】
前記トリガ条件が、ＵＥプロセッサ使用量、ＵＥメモリ使用量、ＵＥ温度、またはＵＥバス使用量のうちの少なくとも１つに基づく、請求項１７に記載の装置。
【請求項１９】
前記調整されたフィードバックを送信するための前記手段が、実際に測定されたチャネル品質インジケータ（ＣＱＩ）よりも低い、少なくとも１つのＣＱＩを送信するように構成された、請求項１８に記載の方法。
【請求項２０】
前記フィードバックを調整するための前記手段が、
前記基地局に前に送信された第１のＣＱＩと、前記第１のＣＱＩを送信した後に前記基地局から受信された前記ＤＬ送信とに基づいて、前記基地局によって使用された前記ＣＱＩオフセットを決定することと、
前記決定されたＣＱＩオフセットを補償した後に前記基地局に送信されるべき第２のＣＱＩを決定することと
を行うように構成され、
ここにおいて、前記調整されたフィードバックを送信することが、前記第２のＣＱＩを前記基地局に送信することを備える、
請求項１７に記載の装置。
【請求項２１】
前記ＣＱＩオフセットを決定するための前記手段が、
前記基地局から受信された前記ＤＬ送信のために使用された変調およびコーディング方式（ＭＣＳ）を決定することと、
前記決定されたＭＣＳを関連するＣＱＩに変換することと、
前記変換されたＣＱＩから前記第１のＣＱＩを減算することによって、前記ＣＱＩオフセットを決定することと
を行うように構成された、請求項２０に記載の装置。
【請求項２２】
前記提案を決定するための前記手段が、前記ＵＥにおいて受信された少なくとも１つのトランスポートブロックのハイブリッド自動再送要求（ＨＡＲＱ）フィードバックを否定応答メッセージ（ＮＡＣＫ）オーバーライドすることに関する提案を決定するように構成された、請求項１７に記載の装置。
【請求項２３】
前記フィードバックを調整するための前記手段は、
前記少なくとも１つのトランスポートブロックが前記ＵＥにおいて正確に受信されたかどうかを含む前記追加の条件と前記提案とに基づいて、前記ＵＥにおいて受信された前記少なくとも１つのトランスポートブロックについての肯定応答（ＡＣＫ）メッセージを生成すること
を行うように構成され、
ここにおいて、前記調整されたフィードバックを送信することが、前記生成されたＡＣＫメッセージを送信することを備える、
請求項２２に記載の装置。
【請求項２４】
前記ＨＡＲＱフィードバックをＮＡＣＫオーバーライドすることに関する前記提案を決定するための前記手段が、
ＤＬ送信に対応する瞬時スループットを所望のスループットしきい値と比較することと、
前記比較の結果に基づいて前記提案を決定することと
を行うように構成された、請求項２２に記載の装置。
【請求項２５】
前記決定された提案は、
前記瞬時スループットが前記所望のしきい値の第１の構成可能な割合に等しいかまたはそれを上回る場合に、前記少なくとも１つのトランスポートブロックの前記ＨＡＲＱフィードバックをＮＡＣＫオーバーライドするという提案、
前記瞬時スループットが前記所望のしきい値の第２の構成可能な割合に等しいかまたはそれを下回る場合に、前記少なくとも１つのトランスポートブロックの前記ＨＡＲＱフィードバックをオーバーライドしないという提案、または
前記瞬時スループットが前記所望のしきい値の前記第１の割合と前記第２の割合との間である場合に、前記少なくとも１つのトランスポートブロックの前記ＨＡＲＱフィードバックを選択的にＮＡＣＫオーバーライドするという提案
のうちの少なくとも１つを備える、請求項２４に記載の装置。
【請求項２６】
前記少なくとも１つのトランスポートブロックが正確に受信された場合に、前記少なくとも１つのトランスポートブロックについての前記ＡＣＫメッセージを生成することは、
前記決定された提案が前記ＨＡＲＱフィードバックをＮＡＣＫオーバーライドすることである場合に、前記ＡＣＫメッセージをＮＡＣＫに設定することと、
前記決定された提案が前記ＨＡＲＱフィードバックをオーバーライドしないことである場合に、前記ＡＣＫメッセージを肯定応答ＡＣＫに設定することと
を備える、請求項２３に記載の装置。
【請求項２７】
ユーザ機器（ＵＥ）によるワイヤレス通信のための方法であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの前記ＵＥによる決定に基づいて、前記ＢＳに与えられるフィードバックを調整することと、
前記調整されたフィードバックを前記ＢＳに送信することと
を備える、方法。
【請求項２８】
フィードバックを調整することが、ＵＥプロセッサ使用量、ＵＥメモリ使用量、ＵＥ温度、またはＵＥバス使用量のうちの少なくとも１つに基づくトリガ条件に応答して、フィードバックを調整することを含む、請求項２７に記載の方法。
【請求項２９】
フィードバックを調整することが、ハイブリッド自動再送要求（ＨＡＲＱ）履歴にさらに基づいて、フィードバックを調整することを含む、請求項２７に記載の方法。
【請求項３０】
ユーザ機器（ＵＥ）によるワイヤレス通信のための装置であって、
前記ＵＥにおいて基地局（ＢＳ）から受信される送信のフローレートを調整するために、所望のスループットと比較される、受信されたダウンリンク（ＤＬ）送信に対応する瞬時スループットの比較に基づいて、および前記基地局によって適用されたチャネル品質インジケータ（ＣＱＩ）オフセットの前記ＵＥによる決定に基づいて、前記ＢＳに与えられるフィードバックを調整するための手段と、
前記調整されたフィードバックを前記ＢＳに送信するための手段と
を備える、装置。
【国際調査報告】
2018522449.tif 000017
2018522449.tif 000018